(57)【要約】【課題】  ユーザを煩わすことなく、情報処理装置の筐体デザインのテイストにマッチした適切な操作環境デザインを実現する。【解決手段】  情報処理装置１０の異なる外観デザインに対応したテイストの着信画像、照明、着信音等の操作環境デザインを実現するデザインソフトウェア２０を準備して（ステップ１０１）、情報処理装置１０に実装し（ステップ１０２）、情報処理装置１０の外観デザインの識別情報を入力して（ステップ１０３）、当該外観デザインのテイストに適した操作環境デザインの情報を検索して、デフォルト値として自動的に設定する（ステップ１０４）。これにより、情報処理装置１０の外観デザインに適合した操作環境デザインが自動的にデフォルトで構築される。【選択図】図１
2006166047.tif 000002
【特許請求の範囲】
【請求項１】
ユーザインタフェースを備えた情報処理装置であって、
前記情報処理装置の異なる外観デザインの各々に対応した複数の操作環境デザインを実現するためのデザイン設定情報を記憶する設定情報記憶手段と、
前記情報処理装置の前記外観デザイン毎にユニークに設定された識別情報を取得する識別情報取得手段と、
前記識別情報にて特定される前記情報処理装置の前記外観デザインに対応した前記デザイン設定情報を前記設定情報記憶手段から読み出して、前記操作環境デザインを前記情報処理装置に設定する制御手段と、
を含むことを特徴とする情報処理装置。
【請求項２】
請求項１記載の情報処理装置において、
前記ユーザインタフェースは、情報表示手段、音声入出力手段および振動発生手段の少なくとも一つを含み、
前記操作環境デザインは、前記情報処理装置の動作に連動して前記情報表示手段、前記音声入出力手段および前記振動発生手段の少なくとも一つに出力される画像、アイコン、照明、音楽、音声、振動の少なくとも一つを含むことを特徴とする情報処理装置。
【請求項３】
情報処理装置の異なる外観デザインの各々に対応した複数の操作環境デザインを実現するためのデザインソフトウェアを前記情報処理装置内に設定する第１工程と、
ハードウェアデザイン識別情報に基づいて前記情報処理装置の前記外観デザインを識別する第２工程と、
前記第２工程の識別結果に対応した前記デザインソフトウェアを用いて、前記操作環境デザインを前記情報処理装置に設定する第３工程と、
を含むことを特徴とする情報処理装置の制御方法。
【請求項４】
ユーザインタフェースを備えた情報処理装置を制御する制御プログラムであって、
ハードウェアデザイン識別情報に基づいて前記情報処理装置の前記外観デザインを識別する第１工程と、
前記情報処理装置の異なる外観デザインの各々に対応した複数の操作環境デザインを実現するための複数のデザインソフトウェアの中から、前記第１工程の識別結果に対応した前記デザインソフトウェアを選択する第２工程と、
選択された前記デザインソフトウェアを用いて、前記操作環境デザインを前記情報処理装置に設定する第３工程と、
を前記情報処理装置に実行させることを特徴とする制御プログラム。
【請求項５】
情報処理装置の異なる外観デザインの各々に対応した複数の操作環境デザインを実現するための複数のデザイン設定情報と、
前記情報処理装置の前記外観デザインを識別する第１機能、および前記第１機能の識別結果に対応した前記デザイン設定情報を用いて、前記操作環境デザインを前記情報処理装置に設定する第２機能を前記情報処理装置に実現させるための制御プログラムと、
を準備する工程と、
複数の前記デザイン設定情報および前記制御プログラムを前記情報処理装置に実装する工程と、
を含むことを特徴とする情報処理装置の製造方法。
【発明の詳細な説明】
【技術分野】
【０００１】
本発明は、情報処理装置の制御方法、情報処理装置、制御プログラム、情報処理装置の製造方法に関し、特に、画像、アイコン、照明色、音楽などの操作環境デザインを、ユーザによってカスタマイズすることが可能な携帯情報端末、等の情報処理装置に適用して有効な技術に関する。
【背景技術】
【０００２】
たとえば、携帯電話等に代表される携帯端末等の情報処理装置では、広範な普及に伴って、その機能のみならず、ハードウェア（筐体）の外観のデザイン等もユーザの年齢や趣味、嗜好に応じて多様化している。このため、筐体の複数デザインテイストに合わせてユーザインタフェースにおける画像、アイコン、照明色、音楽などの操作環境デザインを適切に設定することが、携帯端末等の情報処理装置の開発の上で、ますます重要となってきている。
【０００３】
ところが、従来では、画像、アイコン、照明色、音楽などの操作環境に関するデザインは、筐体デザインのテイストバリエーションによらず、固定のデフォルト値となっている。
【０００４】
このため、従来の携帯端末では、筐体デザインのバリエーションにマッチした操作環境デザインを搭載していても、購入直後の最初の電源投入時には全て、一律な固定のデフォルト値になっている。従って、筐体デザインのテイストにマッチした操作環境デザインを実現するためには、個別に個々の設定項目を変更する煩雑な作業をユーザが行う必要があった。
【０００５】
また、ユーザが個別に画像、アイコン、照明色、音楽などの操作環境デザインの設定を変更した後、ユーザ操作によって購入直後の設定に戻した際には、筐体のデザイン（カラーリング等）に関係なく、上述の一律な固定のデフォルト値に復帰していた。このため、元の設定状態を復元するためには、同じ煩雑な設定操作を再度行う必要があった。
【０００６】
このように、従来の携帯端末では、筐体デザインのテイストにマッチした適切なユーザインタフェースの操作環境デザインを実現する、という観点からは全く利便性に欠けると、という技術的課題があった。
【０００７】
このような技術的課題を解決するためには、ユーザが初めて携帯端末を使い始めるときから、筐体デザインにマッチした操作環境デザインを実現すべく、筐体（ハードウェア）の外観デザインに対応した別々の操作環境デザインを実現するソフトウェアを準備することが考えられるが、開発工数の増加や、ソフトウェア管理の煩雑化等の新たな問題が生じるため、実現が難しかった。
【０００８】
また、せっかく筐体デザインのテイストにあわせた各種操作環境デザインのデータを携帯端末に搭載していてもユーザが気づかず、当該携帯端末の製品としての優位性をユーザにアピールできないという欠点もあった。
【０００９】
なお、特許文献１には、電話端末機器の電源投入時に、初期設定ルーチンを実行させ、初期設定ルーチンの実行中において、ユーザによる特定のダイヤルボタンを押下を検出することで、特別なハードウェアスイッチを設けることなく、キータッチ音や通信速度等の多様な機能設定を行う技術が開示されている。
【００１０】
しかし、上述の従来技術の場合と同様にユーザの介入が必要であることには変わりがなく、上述の技術的課題を解決するものではない。
また、特許文献２には、遊技機の起動時に、周辺ハードウェアの種別に応じてウェイト処理時間を可変にすることで、機種に関係なく周辺ハードウェアとソフトウェアの各々の実行状態を整合させる技術が開示されているが、機器の筐体デザインに応じた機能変更を行う点については開示がない。
【００１１】
また、特許文献３には、サーバから携帯電話にアプリケーションソフトウェアをダウンロードする際に、サーバ側で携帯電話の機種判別を行って、当該機種の表示形式に適合するメニューボタン用画像等を自動変換して送信する技術が開示されている。しかし、各機種の表示形式に応じたメニュー画像の変更はハードウェア的な制約に基づくものであり、筐体デザインのテイスト等の相違を意識したものではない。
【特許文献１】特開昭６０−１２４１５０号公報
【特許文献２】特開２００３−１３５６９５号公報
【特許文献３】特開２００３−７６６３７号公報
【発明の開示】
【発明が解決しようとする課題】
【００１２】
本発明の目的は、ユーザを煩わすことなく、情報処理装置の筐体デザインのテイストにマッチした適切な操作環境デザインを実現することにある。
本発明の他の目的は、開発工数の増加やソフトウェア管理の煩雑化等を生じることなく、筐体デザインのテイストにマッチした適切な操作環境デザインを備えた情報処理装置を提供することにある。
【００１３】
本発明の他の目的は、煩雑な設定操作を必要とすることなく、出荷後の筐体デザインの変化に対応した適切な操作環境デザインを実現することが可能な情報処理装置を提供することにある。
【課題を解決するための手段】
【００１４】
本発明の第１の観点は、ユーザインタフェースを備えた情報処理装置であって、
情報処理装置の異なる外観デザインの各々に対応した複数の操作環境デザインを実現するためのデザイン設定情報を記憶する設定情報記憶手段と、
前記情報処理装置の前記外観デザイン毎にユニークに設定された識別情報を取得する識別情報取得手段と、
前記識別情報にて特定される前記情報処理装置の前記外観デザインに対応した前記デザイン設定情報を前記設定情報記憶手段から読み出して、前記操作環境デザインを前記情報処理装置に設定する制御手段と、
を含む情報処理装置を提供する。
【００１５】
本発明の第２の観点は、情報処理装置の異なる外観デザインの各々に対応した複数の操作環境デザインを実現するためのデザインソフトウェアを前記情報処理装置内に設定する第１工程と、
ハードウェアデザイン識別情報に基づいて前記情報処理装置の前記外観デザインを識別する第２工程と、
前記第２工程の識別結果に対応した前記デザインソフトウェアを用いて、前記操作環境デザインを前記情報処理装置に設定する第３工程と、
を含む情報処理装置の制御方法を提供する。
【００１６】
本発明の第３の観点は、ユーザインタフェースを備えた情報処理装置を制御する制御プログラムであって、
ハードウェアデザイン識別情報に基づいて前記情報処理装置の前記外観デザインを識別する第１工程と、
前記情報処理装置の異なる外観デザインの各々に対応した複数の操作環境デザインを実現するための複数のデザインソフトウェアの中から、前記第１工程の識別結果に対応した前記デザインソフトウェアを選択する第２工程と、
選択された前記デザインソフトウェアを用いて、前記操作環境デザインを前記情報処理装置に設定する第３工程と、
を前記情報処理装置に実行させる制御プログラムを提供する。
【００１７】
本発明の第４の観点は、情報処理装置の異なる外観デザインの各々に対応した複数の操作環境デザインを実現するための複数のデザイン設定情報と、
前記情報処理装置の前記外観デザインを識別する第１機能、および前記第１機能の識別結果に対応した前記デザイン設定情報を用いて、前記操作環境デザインを前記情報処理装置に設定する第２機能を前記情報処理装置に実現させるための制御プログラムと、
を準備する工程と、
複数の前記デザイン設定情報および前記制御プログラムを前記情報処理装置に実装する工程と、
を含む情報処理装置の製造方法を提供する。
【００１８】
上記した本発明では、例えば外観が、筐体デザインＡ，Ｂ，Ｃのように互いに異なる携帯端末等の情報処理装置がある場合、制御プログラムによって、それぞれの筐体デザインを区別するために付加されている識別情報を認識し、筐体デザインＡ用、Ｂ用、Ｃ用にコーディネイトされた画像、アイコン、照明色、音楽、音声、振動などの操作環境デザインが、別々のデフォルト値として個々の情報処理装置に自動的に設定される。
【００１９】
従って、ユーザに煩雑な設定操作を強いることなく、筐体デザインのテイストにマッチした操作環境デザインを簡便、迅速かつ適切に設定できる。また、情報処理装置の操作環境デザインの状態を、ユーザ操作によって初期購入時の設定に戻した時にも、当該情報処理装置の筐体デザイン別の適切な初期値（デフォルト値）に復帰させることができ、筐体デザインのテイストに適合した操作環境デザインの復元のために煩雑な操作を必要としない。
【００２０】
また、本発明によれば、ユーザによる設定操作を必要とすることなく、メーカが提供する情報処理装置の筐体デザインと、ユーザインタフェースの操作環境デザインのトータルなデザインコーディネイトを製造段階で設定できる。このため、出荷直後の使用開始初期からユーザにアピールすることができ、情報処理装置の市場における製品価値は高まる。
【００２１】
また、情報処理装置の出荷後に、たとえば、いわゆる「着せ替え」等によって筐体デザインが変更された場合でも、「着せ替え」後の筐体デザインに適合したデザイン設定情報を準備することで、適切な操作環境デザインを簡便に設定することができる。
【発明の効果】
【００２２】
本発明によれば、ユーザを煩わすことなく、情報処理装置の筐体デザインのテイストにマッチした適切な操作環境デザインを簡便かつ迅速に実現することができる。
また、開発工数の増加やソフトウェア管理の煩雑化等を生じることなく、筐体デザインのテイストにマッチした適切な操作環境デザインを備えた情報処理装置を提供することができる。
【００２３】
また、煩雑な設定操作を必要とすることなく、出荷後の筐体デザインの変化に対応した適切な操作環境デザインを実現することが可能な情報処理装置を提供できる。
【発明を実施するための最良の形態】
【００２４】
以下、図面を参照しながら、本発明の実施の形態について詳細に説明する。
図１は、本発明の一実施の形態である情報処理装置の製造工程の一例を示すフローチャートであり、図２は、本発明の一実施の形態である情報処理装置の作用の一例を示すフローチャート、図３は、本実施の形態の情報処理装置の作用の一例を示す概念図、図４は、本実施の形態の情報処理装置の構成の一例を示すブロック図、図５は、本実施の形態の情報処理装置が持つ情報の一例を示す概念図、図６は、本実施の形態の情報処理装置の外観の一例を示す斜視図である。また、図７は、本実施の形態の情報処理装置の変形例を示す斜視図である。
【００２５】
まず、図４および図６を参照して、本実施の形態の情報処理装置の構成の一例について説明する。本実施の形態では、情報処理装置の一例として、携帯電話、ＰＤＡ等の携帯端末を例にとって説明するがねこれに限らず、ユーザインタフェースを備えた一般の情報処理装置に広く適用することができる。
【００２６】
本実施の形態の情報処理装置１０は、ＭＰＵ１１、主記憶１２、不揮発性記憶装置１３、ユーザインタフェース１４、カメラ１５、通信インターフェイス１６および情報伝送路としてのバス１７を含んでいる。これらは、筐体１８に収容されている。
【００２７】
ＭＰＵ１１は、主記憶１２に格納されたプログラムを実行することで、情報処理装置１０の全体を制御する。
主記憶１２はＲＡＭ等の記憶媒体で構成され、ＭＰＵ１１が実行するプログラムやデータを保持する。
【００２８】
不揮発性記憶装置１３は、書き替え可能なＲＯＭ等の記憶媒体で構成され、基本ソフトウェア１９ａ、通信制御ソフトウェア１９ｂ（制御手段）、製造番号１９ｃが格納されている。この不揮発性記憶装置１３に格納された情報は、必要に応じて、主記憶１２にロードされ、ＭＰＵ１１にてアクセスあるいは実行される。
【００２９】
また、不揮発性記憶装置１３にはデフォルト値設定エリア１９ｄが設けられている。このデフォルト値設定エリア１９ｄには、ユーザインタフェース１４における特定の操作環境デザインを実現するための後述のデザイン属性２２ａのデフォルト値割当て情報２２ｃ（デザイン設定情報）のグループが格納される。
【００３０】
基本ソフトウェア１９ａは、商用のオペレーティングシステムで構成される。通信制御ソフトウェア１９ｂは、この基本ソフトウェア１９ａの上で動作し、ＭＰＵ１１にて実行されることで、情報処理装置１０の全体の動作を制御する。
【００３１】
製造番号１９ｃは、個々の情報処理装置１０にユニーク付与された識別情報である。製造番号１９ｃは、当該情報処理装置１０の外観等の複数の異なるハードウェアデザインを識別可能に付与されている。
【００３２】
たとえば、筐体１８のカラーごとにあらかじめ製造番号１９ｃを割振り、製造番号１９ｃを認識した時点で、筐体１８のカラーを識別できるようにしておく。
製造番号１９ｃが“１２３４５００００５０６７８９”の場合、下線部の６桁が台数を示すこととする。
【００３３】
そして、たとえば、白、黒、赤の３色の筐体１８のカラーで、９０万台の情報処理装置１０を製造する場合、白：００００００〜２９９９９９、黒：３０００００〜５９９９９９、赤：６０００００〜８９９９９９、のように番号を割振る。
【００３４】
これにより、製造番号１９ｃの一部の桁の値により、筐体１８のカラーや形状、模様等のデザインの相違を識別することができる。
ユーザインタフェース１４は、第１ディスプレイ１４ａ、第２ディスプレイ１４ｂ、マイクロフォン１４ｃ、スピーカ１４ｄ、キーボード１４ｅ、バイブレータ１４ｆ、照明光源１４ｇ、等で構成されている。
【００３５】
第１ディスプレイ１４ａおよび第２ディスプレイ１４ｂは、たとえば、筐体１８の表側および裏側にそれぞれ配置され、情報の可視化表示を行う。
マイクロフォン１４ｃは音声等の入力を行う。スピーカ１４ｄは、音声の出力を行う。情報処理装置１０を携帯電話として用いる場合には、マイクロフォン１４ｃおよびスピーカ１４ｄは、送受話器として機能する。また、マイクロフォン１４ｃおよびスピーカ１４ｄの他に、第１ディスプレイ１４ａとカメラ１５とを併用することで、テレビ電話を実現することもできる。
【００３６】
キーボード１４ｅは、文字情報やコマンドの入力に用いられる。バイブレータ１４ｆは、筐体１８を振動させるモータ等で構成され、筐体１８を振動させることで、ユーザの注意を喚起する動作を行う。
【００３７】
照明光源１４ｇは、第１ディスプレイ１４ａや第２ディスプレイ１４ｂの内部、さらには筐体１８を、様々な色で照明する機能を備えている。
カメラ１５は、外部の画像を撮影し、画像データとして入力する機能を備えている。
【００３８】
通信インターフェイス１６は、たとえばアンテナ１６ａを備えており、無線にて外部との間における情報の授受を行う機能を備えている。すなわち情報処理装置１０が携帯電話の場合には、無線通信による通話が行われる。また、インターネット等の広域情報ネットワークに、通信インターフェイス１６を介して接続し、インターネットを経由した情報の授受を行うことも可能である。
【００３９】
本実施の形態の場合、不揮発性記憶装置１３には、さらに、デザイン制御プログラム２１（識別情報取得手段）およびデフォルト値割当情報テーブル２２（設定情報記憶手段）からなるデザインソフトウェア２０が実装されている。
【００４０】
このデザインソフトウェア２０は、情報処理装置１０の筐体１８の外観のハードウェアデザイン、すなわちデザインバリエーションに応じて、ユーザインタフェース１４等に関する操作環境デザインのデフォルト状態を設定する。
【００４１】
すなわち、図５に例示されるように、デフォルト値割当情報テーブル２２には、操作環境デザインの要素であるデザイン属性２２ａ（表示データ、音データ、振動データ、プログラム）の各項目について、ハードウェアデザイン識別情報２２ｂ毎にデフォルト値割当て情報２２ｃが格納されている。
【００４２】
そして、デザイン制御プログラム２１は、たとえば、不揮発性記憶装置１３に格納されている製造番号１９ｃを認識して、当該製造番号１９ｃに対応したデザイン属性２２ａのデフォルト値割当て情報２２ｃのセットをデフォルト値割当情報テーブル２２から選択して読み出してデフォルト値設定エリア１９ｄに設定する動作を行う。
【００４３】
そして、このデフォルト値設定エリア１９ｄに格納されたデザイン属性２２ａのデフォルト値割当て情報２２ｃを、当該デザイン属性２２ａに含まれるデザイン設定プログラム２２ｐ（制御手段）や、デザイン制御プログラム２１、通信制御ソフトウェア１９ｂ等がアクセスして、ユーザインタフェース１４を制御することで、製造番号１９ｃにて特定される情報処理装置１０の外観デザインのテイストにマッチした操作環境デザインをデフォルトで実現される。
【００４４】
たとえば、デフォルト値割当情報テーブル２２の例では、デザイン属性２２ａとしては、以下の項目が設定されている。
すなわち、特定の一つの製造番号１９ｃ（筐体１８の外観デザイン）について、以下のデザイン属性２２ａのデフォルト値割当て情報２２ｃがセットで選択される。
【００４５】
すなわち、デザイン属性２２ａは、デザイン設定プログラム２２ｐを含む。このデザイン設定プログラム２２ｐは、デフォルト値設定エリア１９ｄに設定された以下のデザイン属性２２ａに対応したデフォルト値割当て情報２２ｃに基づいて、操作環境デザインを構築する動作を行う。
【００４６】
また、デザイン属性２２ａは、スピーカ１４ｄ、バイブレータ１４ｆを制御するための情報として、一例として以下の項目がある。
すなわち、「着信音」は、メール、メッセージ、音声、テレビ電話、等における着信時の音楽や音声等を定義する。
【００４７】
「着信バイブレータ」は、メール、メッセージ、音声、テレビ電話の着信時におけるバイブレータ１４ｆが発生するバイブレーションを定義する。
「着信音量」は、メール、メッセージ、音声、テレビ電話、の着信時における着信音量を定義する。
【００４８】
「キー確認音」は、キーボード１４ｅのキー押下時の発生音を定義する。
「充電確認音」は、充電完了をユーザに報知するために出力される音声を定義する。
「アラーム音」は、エラー発生時等にユーザの注意を喚起するために出力される音声を定義する。
【００４９】
「通話保留音」は、電話やテレビ電話による通話時の保留音を定義する。
また、デザイン属性２２ａは、第１ディスプレイ１４ａ、第２ディスプレイ１４ｂ、照明光源１４ｇを制御するための情報として、以下の項目の情報を含む。
【００５０】
すなわち、「サイト表示色」は、インターネットへのアクセス時にアクセス先のサイトを識別するために、第１ディスプレイ１４ａ、第２ディスプレイ１４ｂ、照明光源１４ｇから出力される光の色を定義する。
【００５１】
「待受画面」は、情報処理装置１０の待機中における、メインディスプレイ（第１ディスプレイ１４ａ）、背面ディスプレイ（第２ディスプレイ１４ｂ）等に表示される画面のデザインを定義する。
【００５２】
「カレンダー表示」は、メインディスプレイ、背面ディスプレイに出力されるカレンダーのデザインを定義する。
「時計表示」は、メインディスプレイ、背面ディスプレイに出力される時計のデザインを定義する。
【００５３】
「電話発着信画面」は、情報処理装置１０を電話として使用する際に、発着信時にメインディスプレイ、背面ディスプレイに出力される画像のデザインを定義する。
「メール送受信画面」は、メールの送受信時にメインディスプレイ、背面ディスプレイに出力される画像を定義する。
【００５４】
「センター問い合わせ画像」は、情報処理装置１０のユーザのサポートサイトへのアクセス時にメインディスプレイ、背面ディスプレイに出力される画像のデザインを定義する。
【００５５】
「スクリーン設定」は、メインディスプレイ、背面ディスプレイに出力される背景画像を定義する。
「電池マーク設定」は、電池の残量をメインディスプレイ、背面ディスプレイに表示するためのデザインを定義する。
【００５６】
「フォント設定」は、第１ディスプレイ１４ａ、第２ディスプレイ１４ｂに出力される文字の字体を定義する。
「バイリンガル設定」は、多言語を使用に可能にする際の第１ディスプレイ１４ａ、第２ディスプレイ１４ｂにおける出力画像のデザインを定義する。
【００５７】
「テレビ電話画像」は、情報処理装置１０をテレビ電話として使用する際の第１ディスプレイ１４ａ、第２ディスプレイ１４ｂにおける出力画像のデザインを定義する。
「定型文」は、メールの送信文の作成に際して利用される定型文の文体や画像のデザインを定義する。
【００５８】
「カスタムメニュー」は、ユーザが情報処理装置１０の各種機能をカスタマイズする際に第１ディスプレイ１４ａ、第２ディスプレイ１４ｂに出力されるメニュー画面等のデザインを定義する。
【００５９】
「メニューアイコン」は、第１ディスプレイ１４ａ、第２ディスプレイ１４ｂに出力される各種のメニュー画面等のデザインを定義する。
「アニメーション」は、第１ディスプレイ１４ａ、第２ディスプレイ１４ｂに出力される各種のアニメーションのデザインを定義する。
【００６０】
「着信イルミネーション」は、メール、メッセージ、音声、テレビ電話、等の着信時における、第１ディスプレイ１４ａ、第２ディスプレイ１４ｂ、照明光源１４ｇにて実現されるイルミネーションのデザインを定義する。
【００６１】
「照明色設定」は、照明光源１４ｇによる照明色を定義する。
「通話中照明」は、通話中における第１ディスプレイ１４ａ、第２ディスプレイ１４ｂ、照明光源１４ｇ等による照明のデザインを定義する。
【００６２】
上述の図５に例示した各項目以外にも、デザイン属性２２ａとしては、さらに、一例として以下のものが考えられる。
「受話音量設定」は、通話中の相手の声の音量調節の設定を行う。
【００６３】
「電池アラーム音設定」は、電池が切れたときのアラーム音を設定する。
「マナーモード設定」は、マナーモードの種類設定（あらかじめ決まった設定かオリシ゛ナルの設定を行うか）を設定する。
【００６４】
「着信呼出動作設定」は、着信があったときに着信音を鳴らし始めるまでの時間を設定する。
「発番号なし動作設定」は、着信時に相手が発信者番号を通知していない場合の動作を設定する。
【００６５】
「イヤホン切替設定」は、イヤホンマイクセットを利用する際に着信音をイヤホンから鳴らすかスピーカから鳴らすかを設定する。
「オート着信機能設定」は、イヤホンマイクなどの外部機器を利用時に自動的に応答するかどうかを設定する。
【００６６】
「エニーキーアンサー設定」は、着信時にどのキーを押しても応答することを可能にするか否かを設定する。
「優先通信モード設定」は、通話中にパケット通信があったときや、パケット通信中に音声着信があったときに、どちらの画面を優先的に表示させるかを設定する。
【００６７】
「ノイズキャンセラ設定」は、通話中に周囲の騒音を抑えるかどうかを設定する。
「再接続アラーム設定」は、通話中に電波状態が悪くなり途切れた電話回線を、電波状態が回復したら再接続するかを設定する。
【００６８】
「通話品質アラーム音設定」は、通話状態が悪く、通話が途切れる可能性がある場合にアラームを鳴らすかどうかを設定する、
「国際ダイヤル自動付加設定」は、国際電話用の番号を自動で付加して発信するかどうかを設定する。
【００６９】
「通話中クローズ設定」は、通話中に携帯電話を閉じたときの動作を設定する。
「テレビ電話動作設定」は、テレビ電話中の画面など詳細を設定する。
「文字入力設定」は、文字入力時の方式や動作を設定する。
【００７０】
「メール受信添付ファイル設定」は、メール受信時に添付ファイルを受信するかを設定する。
「メール一覧表示設定」は、メール一覧表示時のレイアウトを設定する。
【００７１】
「添付ファイル自動再生設定」は、受信メールにメロディなどが添付されている場合、自動再生するかどうかを設定する。
「メール受信表示設定」は、何か操作中にメール受信した場合に通知を行うかどうかを設定する。
【００７２】
「サイト接続待ち時間設定」は、インターネット上のサイトへの接続時における最大時間を設定する。
「サイト表示・効果設定」は、インターネット上のサイトの表示時における表示や音の動作を設定する。
【００７３】
「ｉモーション設定」は、iモーション（商標）を自動で再生するかどうかを設定する。
「ｉアプリ自動起動設定」は、自動起動可能なiアプリ（商標）（インターネットアクセスアプリケーションプログラム）がある場合、自動起動させるかどうかを設定する。
【００７４】
「ソフト情報表示設定」は、ソフトウェアのダウンロード時に当該ソフトウェアに関する情報を表示するかどうかを設定する。
「ソフト照明設定」は、ソフトウェアの起動中の照明を設定する。
【００７５】
「伝言メモ設定」は、伝言メモの応答時間やガイダンス、および各種機能を設定する。
「カメラ設定」は、カメラ１５の撮影時の効果や明るさ、色の濃さなどの詳細を設定する。
【００７６】
そして、選択されたデザイン属性２２ａに含まれるデザイン設定プログラム２２ｐは、当該デザイン属性２２ａのデフォルト値割当て情報２２ｃのセット内の他の設定値を用いて、第１ディスプレイ１４ａ、第２ディスプレイ１４ｂへの画像等の出力の制御、スピーカ１４ｄへの音声の出力、照明光源１４ｇの発光の制御、バイブレータ１４ｆの振動の制御等を行うことで、操作環境デザインを構築する動作を行う。
【００７７】
以下、本実施の形態の作用の一例について説明する。すなわち、図１のフローチャートに例示されるように、まず、デザイン制御プログラム２１およびデフォルト値割当情報テーブル２２からなるデザインソフトウェア２０を準備する（ステップ１０１）。
【００７８】
そして、情報処理装置１０の製造工程では、情報処理装置１０のハードウェアの製造完了後、デザインソフトウェア２０を不揮発性記憶装置１３に実装する（ステップ１０２）。これにより、情報処理装置１０内には、デフォルト値割当情報テーブル２２として、複数のハードウェアデザインＡ、Ｂ、Ｃ・・・が利用可能に存在する状態となる。
【００７９】
その後、情報処理装置１０を起動して、デザイン制御プログラム２１を動作させ、情報処理装置１０の外観等のハードウェアデザインが識別可能に付与された製造番号１９ｃをデザイン制御プログラム２１に入力すると、この製造番号１９ｃにてデフォルト値割当情報テーブル２２のハードウェアデザイン識別情報２２ｂをサーチし、対応したデザイン属性２２ａのセットを選択してデフォルト値設定エリア１９ｄに書き込む（ステップ１０４）。
【００８０】
これにより、情報処理装置１０の外観デザインのテイストに適合した、視覚的、聴覚的、振動等の触覚的な属性の組み合わせからなる操作環境デザインが実現される（ステップ１０５）。
【００８１】
すなわち、たとえば、情報処理装置１０の外観色が、派手な赤色の場合には、それらに対応して、第１ディスプレイ１４ａ等に表示される画像やアイコン等を赤系統に統一するとともに、各種サウンドも活発な印象を与えるメロディに統一することで、情報処理装置１０の外観デザインのテイストと、操作環境デザインのテイストとを一致させることが可能になる。
【００８２】
上述の図１のステップ１０３およびステップ１０４におけるデザイン制御プログラム２１の動作をより詳細に示したものが、図２のフローチャートである。
情報処理装置１０の電源投入に際して、デザイン制御プログラム２１は、操作環境デザインのデフォルト値がデフォルト値設定エリア１９ｄに設定済か否かを判別し（ステップ２０１）、未設定の場合には、情報処理装置１０のハードウェアデザイン識別情報（たとえば、製造番号１９ｃ）を取得し（ステップ２０２）、当該ハードウェアデザイン識別情報を用いてデフォルト値割当情報テーブル２２のハードウェアデザイン識別情報２２ｂを検索する（ステップ２０３）。
【００８３】
そして、一致するものがデフォルト値割当情報テーブル２２にあった場合には、対応するデザイン属性２２ａのセットを読み出して、デフォルト値設定エリア１９ｄに書き込む（ステップ２０４）。
【００８４】
このデフォルト値割当情報テーブル２２における検索処理の一例を図３に示す。
その後、デフォルト値設定エリア１９ｄに設定されたデザイン属性２２ａの情報を用いた操作環境の構築（すなわち、情報処理装置１０のハードウェアデザインのテイストに適合したデフォルトの操作環境デザインの実現）を行う（ステップ２０５）。
【００８５】
一方、上述のステップ２０１で操作環境デザインのデフォルト値がデフォルト値設定エリア１９ｄに設定済と判明した場合には、直ちに、当該デフォルト値設定エリア１９ｄからのデザイン属性２２ａの設定値（デフォルト値割当て情報２２ｃ）の読み出しを行い（ステップ２０６）、ステップ２０５の操作環境の構築を行う。
【００８６】
また、上述のステップ２０３でハードウェアデザイン識別情報に対応したハードウェアデザイン識別情報２２ｂがデフォルト値割当情報テーブル２２になかった場合には、外部からデフォルト値割当て情報２２ｃの入力を行い（ステップ２０７）、ステップ２０４以降の処理を行う。
【００８７】
デフォルト値設定エリア１９ｄに設定されたデザイン属性２２ａのデフォルト値の情報は、ユーザ操作による設定リセットを行ってもそのまま保持される。
なお、ステップ２０２におけるハードウェアデザイン識別情報の取得方法としては、情報処理装置１０の製造時に不揮発性記憶装置１３内に書き込まれている製造番号１９ｃを読み出す方法、カメラ１５を用いた画像認識により外部の媒体からバーコード等で製造番号１９ｃを読み取る方法、カメラ１５を用いた画像認識により情報処理装置１０のハードウェアデザイン名称を自動認識する方法、鏡に写った情報処理装置１０の外観画像をカメラ１５で認識することで、情報処理装置１０の外観デザイン自体を認識する方法、等の任意の方法を用いることができる。
【００８８】
このように、本実施の形態の情報処理装置１０によれば、デザイン制御プログラム２１およびデフォルト値割当情報テーブル２２からなるデザインソフトウェア２０を実装し、情報処理装置１０の起動時に、デザイン制御プログラム２１にて筐体１８のハードウェアデザインを識別し、このハードウェアデザインのテイストに適合したユーザインタフェース１４の操作環境デザインが構築されるように、デフォルト値割当情報テーブル２２からデザイン属性２２ａに関するデフォルト値割当て情報２２ｃを選択して、自動的にデフォルト値としてデフォルト値設定エリア１９ｄに設定することができる。
【００８９】
この結果、情報処理装置１０のユーザを煩わすことなく、情報処理装置１０の筐体デザインのテイストにマッチした、ユーザインタフェース１４の適切な操作環境デザインを実現することができる。
【００９０】
また、情報処理装置１０の製造工程においては、筐体１８のハードウェアデザインの異なるテイスト毎に、ソフトウェアやデータを個別に用意する必要がなくなり、開発工数の増加やソフトウェア管理の煩雑化等を生じることなく、情報処理装置１０の筐体１８の色彩、形状、模様等のデザインのテイストにマッチした適切な操作環境デザインを備えた情報処理装置を提供することが可能となる。
【００９１】
また、デフォルト値設定エリア１９ｄに格納されたデザイン属性２２ａのデフォルト値割当て情報２２ｃは変化しないので、ユーザが、操作環境デザインをカスタマイズした後、デフォルトに戻した場合でも、筐体１８のデザインのテイストに適合した操作環境デザインを維持することが可能になる。
【００９２】
次に、図７を参照して、本実施の形態の情報処理装置１０の変形例について説明する。
この図７の変形例では、情報処理装置１０の出荷後に、ユーザ等による、いわゆる「着せ替え」によって筐体１８のハードウェアデザインが変更された場合に、このハードウェアデザインのテイストに対応したデフォルトの操作環境デザインを自動的に設定する例を示す。
【００９３】
すなわち、着せ替えシート３０は、たとえば、表面側に縞模様のデザインが施されており、裏面側は接着剤等が塗布された接着部３３となっている。筐体１８におけるスピーカ１４ｄ、第１ディスプレイ１４ａ、第２ディスプレイ１４ｂ、キーボード１４ｅ、マイクロフォン１４ｃに対応する着せ替えシート３０の領域には切り抜き部３２が設けられている。
【００９４】
これにより、情報処理装置１０のユーザインタフェース１４の機能を損なうことなく、着せ替えシート３０を筐体１８に張り付けることによる外観デザインの変更が可能である。
【００９５】
また、着せ替えシート３０の一部には、当該着せ替えシート３０のデザインを識別するためのデザイン識別情報３１が印刷されている。このデザイン識別情報３１は、文字、バーコード、二次元コード、画像、その他、任意の表現形式を用いることができる。
【００９６】
そして、本変形例の場合には、カメラ１５にてデザイン識別情報３１を撮影することで、着せ替えシート３０のデザインの種別を識別し、対応したデザイン属性２２ａのデフォルト値割当て情報２２ｃをデフォルト値割当情報テーブル２２から検索して読み出し、デフォルト値設定エリア１９ｄに設定することで、着せ替えシート３０のデザインテイストに適した操作環境デザインがデフォルトで自動的に構築されるようにする。
【００９７】
なお、デフォルト値割当情報テーブル２２にデザイン識別情報３１に対応した情報がない場合には、通信インターフェイス１６を介して、インターネット上の外部の情報サーバ等にアクセスして、デザイン属性２２ａのデフォルト値割当て情報２２ｃを取得してもよい。
【００９８】
たとえば、デザイン識別情報３１自体が、インターネットにおける情報資源の所在を特定するためのＵＲＬ（Uniform Resource Locator）となっていてもよい。すなわち、デザイン識別情報３１が、着せ替えシート３０の提供者が運営するサイトの情報サーバを特定するＵＲＬとしておくことで、着せ替えシート３０の貼付による事後的な筐体１８のデザイン変更にも的確に対応した、デフォルトの操作環境デザインを構築することが可能となる。
【００９９】
すなわち、情報処理装置１０のユーザは、煩雑な設定操作を必要とすることなく、情報処理装置１０の出荷後の着せ替えシート３０の貼付による筐体１８のデザインの変化に対応した適切なテイストの操作環境デザインを実現することができる。
【０１００】
なお、本発明は、上述の実施の形態に例示した構成に限らず、その趣旨を逸脱しない範囲で種々変更可能であることは言うまでもない。
たとえば、情報処理装置１０の筐体１８の形状は、図６に例示したものに限らず、折り畳み式、その他、任意の形状でよい。
【０１０１】
（付記１）
ユーザインタフェースを備えた情報処理装置であって、
前記情報処理装置の異なる外観デザインの各々に対応した複数の操作環境デザインを実現するためのデザイン設定情報を記憶する設定情報記憶手段と、
前記情報処理装置の前記外観デザイン毎にユニークに設定された識別情報を取得する識別情報取得手段と、
前記識別情報にて特定される前記情報処理装置の前記外観デザインに対応した前記デザイン設定情報を前記設定情報記憶手段から読み出して、前記操作環境デザインを前記情報処理装置に設定する制御手段と、
を含むことを特徴とする情報処理装置。
【０１０２】
（付記２）
付記１記載の情報処理装置において、
前記ユーザインタフェースは、情報表示手段、音声入出力手段および振動発生手段の少なくとも一つを含み、
前記操作環境デザインは、前記情報処理装置の動作に連動して前記情報表示手段、前記音声入出力手段および前記振動発生手段の少なくとも一つに出力される画像、アイコン、照明、音楽、音声、振動の少なくとも一つを含むことを特徴とする情報処理装置。
【０１０３】
（付記３）
付記１記載の情報処理装置において、前記外観デザインは、前記情報処理装置の筐体の形状、色彩および模様の少なくとも一つからなることを特徴とする情報処理装置。
【０１０４】
（付記４）
付記１記載の情報処理装置において、前記外観デザインは、前記情報処理装置の少なくとも一部を被覆するように付設された被覆材の形状、色彩および模様の少なくとも一つからなることを特徴とする情報処理装置。
【０１０５】
（付記５）
付記１記載の情報処理装置において、
前記識別情報取得手段は、前記情報処理装置内に記憶された当該情報処理装置の識別情報を読み出すことで前記外観デザインを識別することを特徴とする情報処理装置。
【０１０６】
（付記６）
付記１記載の情報処理装置において、前記ユーザインタフェースは、撮影手段をさらに含み、
前記撮影手段を前記識別情報取得手段として機能させ、
前記情報処理装置の外観を前記撮影手段にて撮影する方法、
または、前記撮影手段にて前記情報処理装置の識別情報を撮影する方法、
のいずれかの方法を用いることで前記外観デザインを識別することを特徴とする情報処理装置。
【０１０７】
（付記７）
情報処理装置の異なる外観デザインの各々に対応した複数の操作環境デザインを実現するためのデザインソフトウェアを前記情報処理装置内に設定する第１工程と、
ハードウェアデザイン識別情報に基づいて前記情報処理装置の前記外観デザインを識別する第２工程と、
前記第２工程の識別結果に対応した前記デザインソフトウェアを用いて、前記操作環境デザインを前記情報処理装置に設定する第３工程と、
を含むことを特徴とする情報処理装置の制御方法。
【０１０８】
（付記８）
付記７記載の情報処理装置の制御方法において、前記情報処理装置は、情報表示手段、音声入出力手段および振動発生手段の少なくとも一つを含み、
前記操作環境デザインは、前記情報処理装置の動作に連動して前記情報表示手段、前記音声入出力手段および前記振動発生手段の少なくとも一つに出力される画像、アイコン、照明、音楽、音声、振動の少なくとも一つを含むことを特徴とする情報処理装置の制御方法。
【０１０９】
（付記９）
付記７記載の情報処理装置に制御方法において、前記外観デザインは、前記情報処理装置の筐体の形状、色彩および模様の少なくとも一つからなることを特徴とする情報処理装置の制御方法。
【０１１０】
（付記１０）
付記７記載の情報処理装置に制御方法において、前記外観デザインは、前記情報処理装置の少なくとも一部を被覆するように付設された被覆材の形状、色彩および模様の少なくとも一つからなることを特徴とする情報処理装置の制御方法。
【０１１１】
（付記１１）
付記７記載の情報処理装置に制御方法において、前記情報処理装置は、撮影手段をさらに含み、
前記第２工程では、
前記情報処理装置内に記憶された当該情報処理装置の識別情報を読み出すことで前記外観デザインを識別する方法、
または、前記情報処理装置の外観を前記撮影手段にて撮影することで前記外観デザインを識別する方法、
または、前記撮影手段にて前記情報処理装置の識別情報を撮影することで前記外観デザインを識別する方法、
のいずれかの方法を用いることを特徴とする情報処理装置の制御方法。
【０１１２】
（付記１２）
ユーザインタフェースを備えた情報処理装置を制御する制御プログラムであって、
ハードウェアデザイン識別情報に基づいて前記情報処理装置の前記外観デザインを識別する第１工程と、
前記情報処理装置の異なる外観デザインの各々に対応した複数の操作環境デザインを実現するための複数のデザインソフトウェアの中から、前記第１工程の識別結果に対応した前記デザインソフトウェアを選択する第２工程と、
選択された前記デザインソフトウェアを用いて、前記操作環境デザインを前記情報処理装置に設定する第３工程と、
を前記情報処理装置に実行させることを特徴とする制御プログラム。
【０１１３】
（付記１３）
付記１２記載の制御プログラムにおいて、
前記ユーザインタフェースは、情報表示手段、音声入出力手段および振動発生手段の少なくとも一つを含み、
前記操作環境デザインは、前記情報処理装置の動作に連動して前記情報表示手段、前記音声入出力手段および前記振動発生手段の少なくとも一つに出力される画像、アイコン、照明、音楽、音声、振動の少なくとも一つを含むことを特徴とする制御プログラム。
【０１１４】
（付記１４）
付記１２記載の制御プログラムにおいて、前記外観デザインは、前記情報処理装置の筐体の形状、色彩および模様の少なくとも一つからなることを特徴とする制御プログラム。
【０１１５】
（付記１５）
付記１２記載の制御プログラムにおいて、前記外観デザインは、前記情報処理装置の少なくとも一部を被覆するように付設された被覆材の形状、色彩および模様の少なくとも一つからなることを特徴とする制御プログラム。
【０１１６】
（付記１６）
付記１２記載の制御プログラムにおいて、
前記第１工程では、前記情報処理装置内に記憶された当該情報処理装置の識別情報を読み出すことで前記外観デザインを識別することを特徴とする制御プログラム。
【０１１７】
（付記１７）
付記１２記載の制御プログラムにおいて、前記ユーザインタフェースは、撮影手段をさらに含み、
前記第１工程では、前記撮影手段を用いて、
前記情報処理装置の外観を前記撮影手段にて撮影する方法、
または、前記撮影手段にて前記情報処理装置の識別情報を撮影する方法、
のいずれかの方法を用いることで前記外観デザインを識別することを特徴とする制御プログラム。
【０１１８】
（付記１８）
情報処理装置の異なる外観デザインの各々に対応した複数の操作環境デザインを実現するための複数のデザイン設定情報と、
前記情報処理装置の前記外観デザインを識別する第１機能、および前記第１機能の識別結果に対応した前記デザイン設定情報を用いて、前記操作環境デザインを前記情報処理装置に設定する第２機能を前記情報処理装置に実現させるための制御プログラムと、
を準備する工程と、
複数の前記デザイン設定情報および前記制御プログラムを前記情報処理装置に実装する工程と、
を含むことを特徴とする情報処理装置の製造方法。
【０１１９】
（付記１９）
付記１８記載の情報処理装置の製造方法において、前記情報処理装置は、情報表示手段、音声入出力手段および振動発生手段の少なくとも一つを含み、
前記操作環境デザインは、前記情報処理装置の動作に連動して前記情報表示手段、前記音声入出力手段および前記振動発生手段の少なくとも一つに出力される画像、アイコン、照明、音楽、音声、振動の少なくとも一つを含むことを特徴とする情報処理装置の製造方法。
【０１２０】
（付記２０）
付記１８記載の情報処理装置に製造方法において、前記外観デザインは、前記情報処理装置の筐体の形状、色彩および模様の少なくとも一つからなることを特徴とする情報処理装置の製造方法。
【図面の簡単な説明】
【０１２１】
【図１】本発明の一実施の形態である情報処理装置の製造工程の一例を示すフローチャートである。
【図２】本発明の一実施の形態である情報処理装置の作用の一例を示すフローチャートである。
【図３】本発明の一実施の形態である情報処理装置の作用の一例を示す概念図である。
【図４】本発明の一実施の形態である情報処理装置の構成の一例を示すブロック図である。
【図５】本発明の一実施の形態である情報処理装置が持つ情報の一例を示す概念図である。
【図６】本発明の一実施の形態である情報処理装置の外観の一例を示す斜視図である。
【図７】本発明の一実施の形態である情報処理装置の変形例を示す斜視図である。
【符号の説明】
【０１２２】
１０  情報処理装置
１１  ＭＰＵ
１２  主記憶
１３  不揮発性記憶装置
１４  ユーザインタフェース
１４ａ  第１ディスプレイ
１４ｂ  第２ディスプレイ
１４ｃ  マイクロフォン
１４ｄ  スピーカ
１４ｅ  キーボード
１４ｆ  バイブレータ
１４ｇ  照明光源
１５  カメラ
１６  通信インターフェイス
１６ａ  アンテナ
１７  バス
１８  筐体
１９ａ  基本ソフトウェア
１９ｂ  通信制御ソフトウェア
１９ｃ  製造番号
１９ｄ  デフォルト値設定エリア
２０  デザインソフトウェア（デザイン設定情報）
２１  デザイン制御プログラム
２２  デフォルト値割当情報テーブル
２２ａ  デザイン属性
２２ｂ  ハードウェアデザイン識別情報
２２ｃ  デフォルト値割当て情報
２２ｐ  デザイン設定プログラム
３０  着せ替えシート
３１  デザイン識別情報
３２  切り抜き部
３３  接着部
【図２】
2006166047.tif 000003
【図３】
2006166047.tif 000004
【図４】
2006166047.tif 000005
【図５】
2006166047.tif 000006
【図６】
2006166047.tif 000007
【図７】
2006166047.tif 000008
【図１】
2006166047.tif 000009